(57)【要約】【課題】異なる大きさのインク液滴を吐出するノズル部間における吐出特性を揃えることが可能であって、かつ高密度化が可能なインクジェット記録ヘッドおよびその製造方法を提供する。【解決手段】本発明のインクジェット記録ヘッドは、吐出されるインク液滴の大きさが他のノズル部２０から吐出されるインク液滴より大きいノズル部２０におけるインク吐出エネルギ発生素子７からインク吐出口１までの流路の抵抗である前方抵抗が、他のノズル部２０の前方抵抗よりも大きい。【選択図】図２
2007125810.tif 000002
【特許請求の範囲】
【請求項１】
インクを吐出するためのインク吐出エネルギ発生素子と、インクを吐出するインク吐出口とを有するノズル部を備えたインクジェット記録ヘッドにおいて、
吐出されるインク液滴の大きさが他の前記ノズル部から吐出されるインク液滴より大きい前記ノズル部における前記インク吐出エネルギ発生素子から前記インク吐出口までの流路の抵抗である前方抵抗が、他の前記ノズル部の前記前方抵抗よりも大きいことを特徴とするインクジェット記録ヘッド。
【請求項２】
前記インク吐出エネルギ発生素子が形成された面に対向する面に、前記インク吐出エネルギ発生素子から前記インク吐出口までの距離を長くするための高さ調整部材を有する、請求項１に記載のインクジェット記録ヘッド。
【請求項３】
吐出されるインク液滴の大きさが大きいほど前記高さ調節部材の厚さが厚い、請求項２に記載のインクジェット記録ヘッド。
【請求項４】
前記ノズル部に連通するインク供給口を介して相対する位置に、複数の前記インク吐出口からなる第一のインク吐出口列および第二のインク吐出口列が配置され、前記第一のインク吐出口列を構成する前記インク吐出口から吐出するインク液滴の大きさは同一であり、前記第二のインク吐出口列を構成する前記インク吐出口から吐出するインク液滴の大きさは同一であり、前記第一のインク吐出口列を構成する前記インク吐出口から吐出するインク液滴の大きさと前記第二のインク吐出口列を構成する前記インク吐出口から吐出するインク液滴の大きさが異なる、請求項１ないし３のいずれか１項に記載のインクジェット記録ヘッド。
【請求項５】
前記第一のインク吐出口列に対して前記第二のインク吐出口列が半ピッチずれて配列されている、請求項４に記載のインクジェット記録ヘッド。
【請求項６】
インクを吐出するためのインク吐出エネルギ発生素子と、インクを吐出するインク吐出口とを有するノズル部を備えたインクジェット記録ヘッドの製造方法において、
前記インク吐出エネルギ発生素子が形成された面に対向する面に、前記インク吐出エネルギ発生素子から前記インク吐出口までの距離を長くするための高さ調整部材を設ける工程を含むことを特徴とするインクジェット記録ヘッドの製造方法。
【請求項７】
吐出されるインク液滴の大きさが大きいほど、厚さが厚い前記高さ調節部材を設ける、請求項６に記載のインクジェット記録ヘッドの製造方法。
【請求項８】
前記ノズル部に連通するインク供給口を介して相対する位置に、吐出するインク液滴の大きさが同一の複数の前記インク吐出口からなる第一のインク吐出口列と、複数の前記インク吐出口からなり、前記第一のインク吐出口列の前記インク吐出口から吐出されるインク液滴とは異なる大きさのインク液滴が吐出され、かつ列を構成する複数の前記インク吐出口から吐出されるインク液滴の大きさは同一である第二のインク吐出口列とを形成する工程を含む、請求項６または７に記載のインクジェット記録ヘッドの製造方法。
【請求項９】
前記第一のインク吐出口列に対して前記第二のインク吐出口列が半ピッチずらして形成する工程を含む、請求項８に記載のインクジェット記録ヘッドの製造方法。
【発明の詳細な説明】
【技術分野】
【０００１】
本発明は、液体を噴射し飛翔液滴を形成して記録を行う液体吐出ヘッドに関するものであり、特にインクを吐出するインクジェット記録ヘッドに関する。
【背景技術】
【０００２】
インクジェット記録方式（液体噴射記録方式）に適用されるインクジェット記録ヘッドは、一般に微細な記録液吐出口、流路および該流路の一部に設けられる記録液吐出エネルギ発生素子を複数備えている。
【０００３】
例えば特許文献１に記載されているインクジェット記録法は、熱エネルギの作用を受けた記録液が加熱されて気泡を発生し、この気泡発生に基づく作用力によって、記録ヘッド部先端の記録液吐出口から記録液滴が形成される。そして、この記録液滴が被記録部材に付着して情報の記録が行われるということを特徴としている。
【０００４】
また、高密度、高精度に記録液吐出口や流路を形成する方法として、特許文献２や特許文献３に示されている方法が提案されている。
図４に、その詳細の一例を示す。
【０００５】
図４は、従来のインクジェット記録ヘッドの基本的な製造工程を示すための断面模式図である。
【０００６】
図４（ａ）に示されるＳｉ基板１０４上には、インク吐出エネルギ発生素子７が複数個配置されている。
【０００７】
ここに型材（ＯＤＵＲ、東京応化工業（株）製）を厚さ１４μｍで塗布し、さらに
、露光・現像を行うことにより、型材１０９のパターンを形成した。この型材１０９がノズル部完成の状態で発泡室および流路となる。
【０００８】
次に、図４（ｂ）に示すように、基板１０４上にノズル形成部材１０３をスピンコートにより厚さ２５μｍで塗布した。ノズル形成部材１０３は、エポキシ樹脂と光カチオン重合開始剤を溶剤に溶解して作製した。続いて、ノズル形成部材１０３上にドライフィルムのラミネートにより撥水部材１０８を厚さ０．５μｍで形成した。撥水部材１０８は、エポキシ樹脂と光カチオン重合開始剤を溶剤に溶解して作製した。さらに、ミラー・プロジェクション・マスクアライナ（ＭＰＡ−６００  Ｓｕｐｅｒ、キヤノン（株）製）を使用して、ノズル形成部材１０３お
よび撥水部材１０８へ、マスクを介してＵＶ（Ｕｌｔｒａｖｉｏｌｅｔ）光を０．２Ｊ／ｃｍ2照射した。さらに、マスクに設けられたパターンによりＵＶ光が遮断され照射されなかった領域を現像液で除去した後１００℃で加熱して、インク吐出口１０１を形成した。
【０００９】
続いて、型材１０９、ノズル形成部材１０３および撥水部材１０８がパターニングされた基板を、約８０℃に加熱温調したＴＭＡＨ（Ｔｅｔｒａｍｅｔｈｙｌ  ａｍｍｏｎｉｕｍ  ｈｙｄｒｏｘｉｄｅ）  ２２ｗｔ％水溶液に十数時間浸漬する。これによりＳｉをエッチングして、図４（ｃ）に示すように、インク供給口１０５を形成した。
【００１０】
最後に、型材１０９を、インク吐出口１０１およびインク供給口１０５から溶出させることにより、図４（ｄ）に示すように、インクジェット記録ヘッドのノズル部を形成した。
【００１１】
さらに、ノズル部が形成された基板を、ダイシングソーにより分離切断、チップ化し、インク吐出エネルギ発生素子７を駆動させるための電気的接合を行った後、インク供給のためのチップタンク部材を接続して、インクジェット記録ヘッドが完成される。
【００１２】
このようなインクジェット記録ヘッドの製造方法は、
１．露光時に使用するマスクのパターンを変えることにより、流路部やインク吐出口の形状を容易に変更することが可能である
２．Ｓｉ基板上に多数のノズル部を形成し、これを分離切断してチップ化するため、量産性に優れる
といった、以上のような利点が挙げられる。
【００１３】
このようにして完成させたインクジェット記録ヘッドの上面透視図および断面図を図５に示す。
【００１４】
図５中、右側に設けられているのは、５ｐｌの液滴を吐出させるノズル部（以下、５ｐｌノズル部と記載）であり、インク吐出口１０１は穴径１４μｍで形成されている。図５中、左側に設けられているのは、１ｐｌの液滴を吐出させるノズル部（以下、１ｐｌノズル部と記載）であり、インク吐出口１０１は穴径１０μｍで形成されている。このインク吐出口１０１の穴径の違いにより、各ノズル部から吐出される液滴の大きさを変えることが可能となっている。また、５ｐｌノズル部および１ｐｌノズル部はともに発泡室および流路部が高さ１４μｍで形成され、その上にノズル形成部材１０３および撥水部材１０８が厚さ１１μｍで形成されている。この状態では、５ｐｌノズル部の方がインク吐出口１０１の大きさが大きいため、５ｐｌノズル部の方が前方抵抗が小さくなっている。
【特許文献１】特開昭５４−５１８３７号公報
【特許文献２】特開平５−３３００６６号公報
【特許文献３】特開平６−２８６１４９号公報
【発明の開示】
【発明が解決しようとする課題】
【００１５】
上述したインクジェット記録ヘッドを用い、高品位なカラー画像の印刷を行ったところ、画像が超細密な部分においては粒状感等も目立たず正常な印刷がなされていたが、画像が比較的粗い部分においては一部印刷がなされず白抜きになっている状態が見受けられた。
【００１６】
大きさの違う各液滴の吐出特性、具体的には、吐出速度やリフィル等を可能な限り合わせることが重要であり、吐出特性はノズル部における前方抵抗と後方抵抗のバランスによって成り立っている。なお、前方抵抗とは、インク吐出エネルギ発生素子からインク吐出口までの間の流路抵抗であり、後方抵抗とはインク供給口からインク吐出エネルギ発生素子までの間の流路抵抗を意味する。
【００１７】
５ｐｌの液滴を吐出させるノズル部（以下、５ｐｌノズル部と記載）と１ｐｌの液滴を吐出させるノズル部（以下、１ｐｌノズル部と記載）においては、インク吐出口の大きさは当然５ｐｌノズル部の方が大きい。その結果、５ｐｌノズル部の方が前方抵抗が小さくなってしまう。
【００１８】
そこで、５ｐｌ、１ｐｌ各ノズル部における吐出特性、具体的には、吐出速度とリフィルにかかる時間を調べてみたところ、５ｐｌノズル部では、１ｐｌノズル部に比べて、リフィルにかかる時間が明らかに長くなっていた。これは、５ｐｌノズル部においては、前方抵抗に比べて後方抵抗が大きすぎるために起こっていると考えられる。
【００１９】
そこで、後方抵抗をさらに小さくする手段として、発泡室の大きさを大きくすることを試みた。
【００２０】
しかし、発泡室の大きさを大きくするために発泡室の長さを延ばすと、インク吐出エネルギ発生素子を駆動させるための半導体素子の一部がインクに触れることとなり、信頼性の面から好ましくなかった。また、発泡室の幅を広げると、隣接した発泡室同士を隔てる壁の幅が極端に狭くなってしまった。この壁の幅がある値以上に狭くなると、何千枚と印刷を繰り返す過程で、壁部分が基板から剥れてしまい、信頼性の面から好ましくなかった。
【００２１】
また、後方抵抗の低下には、発泡室を含めた流路部の寸法調整が有効であるが、前述したように、近年の高密度化の流れに伴い、個々の発泡室および流路部が密に配置された構成においては、幅および長さ方向での調整には限界がある。
【００２２】
本出願にかかる発明は、上記の問題に鑑みてなされたものであり、異なる大きさのインク液滴を吐出するノズル部間における吐出特性を揃えることが可能であって、かつ高密度化が可能なインクジェット記録ヘッドおよびその製造方法を提供することを目的とする。
【課題を解決するための手段】
【００２３】
上記目的を達成するため、本発明のインクジェット記録ヘッドは、インクを吐出するためのインク吐出エネルギ発生素子と、インクを吐出するインク吐出口とを有するノズル部を備えたインクジェット記録ヘッドにおいて、吐出されるインク液滴の大きさが他のノズル部から吐出されるインク液滴より大きいノズル部におけるインク吐出エネルギ発生素子からインク吐出口までの流路の抵抗である前方抵抗が、他のノズル部の前方抵抗よりも大きいことを特徴とする。
【発明の効果】
【００２４】
本発明のインクジェット記録ヘッドは、大きいインク液滴を吐出するノズル部における前方抵抗を、小さいインク液滴を吐出するノズル部における前方抵抗よりも大きくしている。これにより、異なる大きさのインク液滴を吐出するノズル部間における吐出特性を揃えることが可能であって、かつ高密度化が可能となる。
【発明を実施するための最良の形態】
【００２５】
以下、本発明の実施の形態を図面に基づいて説明する。
［実施例１］
本実施例では、発泡室および流路部の長さおよび幅を変えることなく、５ｐｌノズル部と１ｐｌノズル部とで抵抗バランスを合わせるためには、５ｐｌノズル部における前方抵抗をさらに大きくした。前方抵抗を大きくするため、本実施例では、５ｐｌノズル部におけるオリフィスプレートの高さを増す構成とした。
【００２６】
より具体的には、本実施例においては、５ｐｌノズル部にのみ高さ調節部材を設けた。本実施例のインクジェット記録ヘッドの製造工程を図１に示す。
【００２７】
まず、図１（ａ）に示すように、インク吐出エネルギ発生素子７が設けられたＳｉ基板４上に型材（ＯＤＵＲ、東京応化工業（株）製）を厚さ１４μｍでスピンコ
ートにより塗布した。
【００２８】
さらに、図１（ｂ）に示すように、露光・現像を行うことにより、型材９のパターンを形成した。この型材９がノズル部完成の状態で発泡室および流路となる。
【００２９】
続いて、図１（ｃ）に示すように、型材９が設けられた基板上に高さ調節部材２をスピンコートにより厚さ２μｍで塗布した。高さ調節部材２は、ポリエーテルアミド樹脂と光カチオン重合開始剤を溶剤に溶解して作製した。
【００３０】
続いて、図１（ｄ）に示すように、ミラー・プロジェクション・マスクアライナー（ＭＰＡ−６００  Ｓｕｐｅｒ、キヤノン（株）製）を使用して、高さ調節部材
２にマスク１０を介してＵＶ光１２を１Ｊ／ｃｍ2照射した。
【００３１】
続いて、図１（ｅ）に示すように、マスク１０に設けられたＣｒパターン１３によりＵＶ光１２が遮断された部分を現像して除去することにより、高さ調節部材２のパターンを形成した。高さ調節部材２はインク吐出口となる部分が開口した状態である。
【００３２】
続いて、図１（ｆ）に示すように、高さ調節部材２および型材９が設けられた基板上にノズル形成部材３をスピンコートにより厚さ１１μｍで塗布した。ここで使用したノズル形成部材は、エポキシ樹脂と光カチオン重合開始剤を溶剤に溶解して作製したものである。さらに、ノズル形成部材３上にドライフィルムのラミネートにより撥水部材８を厚さ０．５μｍで形成した。撥水部材８は、エポキシ樹脂と光カチオン重合開始剤を溶剤に溶解して作製した。
【００３３】
続いて、図１（ｇ）に示すように、ミラー・プロジェクション・マスクアライナー（ＭＰＡ−６００  Ｓｕｐｅｒ、キヤノン（株）製）を使用して、ノズル形成部
材３および撥水部材８へマスクを介してＵＶ光を０．２Ｊ／ｃｍ2照射した。そして、マスクに設けられたパターンによりＵＶ光が遮断され照射されなかった領域を現像液で除去した後１００℃で加熱して、インク吐出口１を形成した。
【００３４】
続いて、高さ調節部材２、型材９、ノズル形成部材３および撥水部材８がパターニングされた基板を、約８０℃に加熱温調したＴＭＡＨ  ２２ｗｔ％水溶液に十数時間浸漬した。これによりＳｉをエッチングしてインク供給口を形成した後、型材９を、インク吐出口１およびインク供給口５（図２参照）から溶出させることによりノズル部を形成した。
【００３５】
さらに、ノズル部が形成された基板を、ダイシングソーにより分離切断、チップ化し、インク吐出エネルギ発生素子７を駆動させるための電気的接合を行った後、インク供給のためのチップタンク部材を接続して、インクジェット記録ヘッドを完成させた。
【００３６】
このようにして完成させた、Ｓｉ基板４上にオリフィスプレートを備えたインクジェット記録ヘッドの上面透視図および断面図を図２に示す。なお、図２（ａ）が上面透視図であり、図２（ｂ）が断面図である。
【００３７】
図２中、右側に設けられているのは、５ｐｌノズル部であり、インク吐出口１は穴径１４μｍで形成されている。図２中、左側に設けられているのは、１ｐｌノズル部であり、インク吐出口１は穴径１０μｍで形成されている。
【００３８】
ノズル部２０は、型材９を溶出して形成したインク流路１１内の底面にインク吐出エネルギ発生素子７を有し、このインク吐出エネルギ発生素子７の真上にインク吐出口１を有する。インク流路１１はインク供給口５およびインク吐出口１に連通している。インク供給口５からインク流路１１内に供給されたインクは、インク吐出エネルギ発生素子７によって発生したエネルギによってインク吐出口１から吐出される。なお、インク吐出口１は図２中ではインク吐出エネルギ発生素子７の上方に配置され、上方に向けて開口するように示されているが、実際に記録を行う場合、インクジェット記録ヘッドは、インク吐出口１は下方に向けて開口するようにして用いられる。
【００３９】
ノズル部２０のうち、図２中、右側に示された５ｐｌノズル部のインク流路１１内の上面には高さ調整部材２が設けられている。１ｐｌノズル部の発泡室および流路部は高さ１４μｍで形成され、その上にノズル形成部材３および撥水部材８が厚さ１１μｍで形成されている。一方、５ｐｌノズル部の発泡室および流路部は高さ１４μｍで形成され、その上に高さ調節部材２、ノズル形成部材３および撥水部材８が厚さ１３μｍで形成されている。このように、これら１ｐｌノズル部および５ｐｌノズル部のインク流路１１内の流路高さは同じであり、高さ調整部材２がインク流路１１内に設けられることによってはインク流路１１の高さが低くなり、流路断面が小さくなることはない。このため、高さ調整部材２がインク流路１１の上壁面全体を構成するものであってもインク供給口５からインク吐出エネルギ発生素子７までの間の流路抵抗、すなわち、後方抵抗は１ｐｌノズル部と５ｐｌノズル部とでは同じとなる。なお、図２（ｂ）に示すように、高さ調整部材２が設けられた分、オリフィスプレートの表面が盛り上がっている。
【００４０】
一方、高さ調整部材２によって、インク流路１１からインク吐出口１の開口までの距離は長くなっている。つまり、高さ調整部材２によって、インク吐出エネルギ発生素子７からインク吐出口１出口までの長さが１ｐｌノズル部よりも２μｍ長くなる。これにより、５ｐｌノズル部側のインク吐出エネルギ発生素子７からインク吐出口１出口までの流路抵抗、すなわち前方抵抗が１ｐｌノズル部側よりも大きくなる。
【００４１】
このような吐出液滴の大きいノズル部側の前方抵抗が吐出液滴の小さいノズル部側の前方抵抗よりも大きいインクジェット記録ヘッドを用い、高品位なカラー画像の印刷を行ったところ、画像が超細密な部分においては粒状感等も目立たず正常な印刷がなされていた。
【００４２】
一方、画像が比較的粗い部分においても、印刷がなされず白抜きになっている状態は見受けられず正常な印刷がなされていた。
【００４３】
そこで、５ｐｌ、１ｐｌ各ノズル部における吐出特性、具体的には、吐出速度とリフィルにかかる時間を調べてみたところ、５ｐｌ、１ｐｌどちらのノズル部においても、ほぼ同等の値であった。これは、５ｐｌノズル部にのみ高さ調節部材を設けてオリフィスプレートの高さを増すことにより前方抵抗を大きくしたことにより、５ｐｌノズル部と１ｐｌノズル部とで抵抗バランスがほぼ合致したことに起因していると考えられる。
【００４４】
このように、本実施形態のインクジェット記録ヘッドは、高さ調節部材を設けてオリフィスプレートの高さを自由に選択できるようにした。これにより、インク吐出口から吐出する液滴の大きさが、少なくとも２種類以上混在する構成であっても、各ノズル部における抵抗バランスを合わせ、吐出特性を揃えることができ、超細密画像を印刷する際にも、高画質、高速印刷が可能となる。
［実施例２］
本実施例のインクジェット記録ヘッドは、１ｐｌノズル部からなるインク吐出口列に対して５ｐｌノズル部からなるインク吐出口列が半ピッチずれて配列されることで各ノズル部が千鳥に配列されている。また、５ｐｌノズル部にのみ高さ調節部材を設けることにより、オリフィスプレートの高さを増し、前方抵抗を増した構造とした。なお、それ以外の構造および製造工程は実施例１と同様であるため、詳細の説明は省略する。
【００４５】
本実施例のインクジェット記録ヘッドの上面透視図および断面図を図３に示す。なお、図３（ａ）が上面透視図であり、図３（ｂ）が断面図である。
【００４６】
５ｐｌノズル部におけるインク吐出口１は穴径１４μｍで形成されている。一方、１ｐｌノズル部におけるインク吐出口１は穴径１０μｍで形成されている。また、１ｐｌノズル部の発泡室および流路部は高さ１４μｍで形成され、その上にノズル形成部材３および撥水部材８が厚さ１１μｍで形成されている。一方、５ｐｌノズル部の発泡室および流路部は高さ１４μｍで形成され、その上に高さ調節部材２、ノズル形成部材３および撥水部材８が厚さ１３μｍで形成されている。
【００４７】
このインクジェット記録ヘッドを用い、高品位なカラーグラフィック画像の印刷を行ったところ、画像が超細密な部分においては粒状感等も目立たず正常な印刷がなされていた。
【００４８】
一方、画像が比較的粗い部分においても、印刷がなされず白抜きになっている状態は見受けられず正常な印刷がなされていた。
【００４９】
そこで、５ｐｌ、１ｐｌ各ノズル部における吐出特性、具体的には、吐出速度とリフィルにかかる時間を調べてみたところ、５ｐｌ、１ｐｌどちらのノズル部においても、ほぼ同等の値であった。これは、５ｐｌノズル部にのみ高さ調節部材を設けてオリフィスプレートの高さを増すことにより前方抵抗を大きくしたことにより、５ｐｌノズル部と１ｐｌノズル部とで抵抗バランスがほぼ合致したことに起因していると考えられる。
［実施例３］
本実施例においては、５ｐｌノズル部にのみ高さ調節部材を設け、かつ高さ調節部材をノズル形成部材と同じ材料で作製した構造を形成した。すなわち、本実施例では、高さ調節部材２は、エポキシ樹脂と光カチオン重合開始剤を溶剤に溶解して作製し、マスク１０を介してＵＶ光１２を０．２Ｊ／ｃｍ2照射した。なお、それ以外の製造工程は実施例１と同様であるため、詳細の説明は省略する。
【００５０】
このインクジェット記録ヘッドを用い、高品位なカラーグラフィック画像の印刷を行ったところ、画像が超細密な部分においては粒状感等も目立たず正常な印刷がなされていた。
【００５１】
一方、画像が比較的粗い部分においても、印刷がなされず白抜きになっている状態は見受けられず正常な印刷がなされていた。
【００５２】
そこで、５ｐｌ、１ｐｌ各ノズル部における吐出特性、具体的には、吐出速度とリフィルにかかる時間を調べてみたところ、５ｐｌ、１ｐｌどちらのノズル部においても、ほぼ同等の値であった。これは、５ｐｌノズル部にのみ高さ調節部材を設けてオリフィスプレートの高さを増すことにより前方抵抗を大きくしたことにより、５ｐｌノズル部と１ｐｌノズル部とで抵抗バランスがほぼ合致したことに起因していると考えられる。
【００５３】
なお、上記各実施例における数値は一例であり、本発明は一例として示した各数値に限定されるものではない。
【００５４】
また、各実施例では、吐出する液滴サイズが１ｐｌと５ｐｌとの２種類のみのインクジェット記録ヘッドを例に説明したが、本発明はこれに限定されるものではなく、液滴サイズが２種類以上の記録ヘッドにも適用可能である。すなわち、本発明は、高さ調整部材の厚みを液滴サイズが大きくなるにつれ厚くする構成とすることで、吐出される液滴サイズが大きくなるにつれ前方抵抗が大きくなるようにしたインクジェット記録ヘッドおよびその製造方法も含むものである。
【００５５】
また、本発明における被記録媒体としては、紙のほか、糸、繊維、布帛、皮革、金属、プラスチック、ガラス、木材、セラミックス等が挙げられる。本発明はこれらの被記録媒体に対し記録を行うプリンタ、複写機、通信システムを有するファクシミリ、プリンタ部を有するワードプロセッサ等の装置、さらには各種処理装置と複合的に組み合わせた産業記録装置に適用できる発明である。
【００５６】
なお、本発明における『記録』とは、文字や図形等の意味を持つ画像を被記録媒体に対して付与することだけでなく、パターン等の意味を持たない画像を付与することも意味する。
【図面の簡単な説明】
【００５７】
【図１】本発明のインクジェット記録ヘッドのノズル部の基本的な製造工程の一例を示す断面模式図である。
【図２】本発明の実施例１における、インクジェット記録ヘッドのノズル部上面透視図および断面模式図である。
【図３】本発明の実施例２における、インクジェット記録ヘッドのノズル部上面透視図および断面模式図である。
【図４】従来のインクジェット記録ヘッドのノズル部の基本的な製造工程の一例を示す断面模式図である。
【図５】従来のインクジェット記録ヘッドのノズル部上面透視図および断面模式図である。
【符号の説明】
【００５８】
１    インク吐出口
２    高さ調節部材
３    ノズル形成部材
７    インク吐出エネルギ発生素子
２０    ノズル部
【図１】
2007125810.tif 000003
【図２】
2007125810.tif 000004
【図３】
2007125810.tif 000005
【図４】
2007125810.tif 000006
【図５】
2007125810.tif 000007